(57)【要約】【解決手段】音の部分が複数経路を通って伝播することにより生じる音調の変化を、マルチマイク録音のミキシングの際に可能な限り補償するべく、第１のマイク信号（１００）および第２のマイク信号（１０１）のそれぞれのサンプルの重なり合う時間フレームごとのスペクトル値を形成することを提案する。第１の合算レベル（３１０）において、第１のマイク信号（１００）のスペクトル値（３００）は、第１の合算信号のスペクトル値（３１１）を形成しつつ、第２のマイク信号（１０１）のスペクトル値（３０１）に分散され、２つのマイク信号（１００、１０１）の一方のスペクトル値（３００、３０１）が動的に補正される。結果信号のスペクトル値（３９９）が、第１の合算信号のスペクトル値（３１１）から形成され、逆フーリエ変換およびブロック接合を施される（図３）。【選択図】図１
2013511178.tif 000002
【特許請求の範囲】
【請求項１】
複数のマイクによる録音（マルチマイク録音）におけるマイク信号をミキシングする方法であって
音の部分が複数経路を通って伝播され、
第１のマイク信号（１００）および第２のマイク信号（１０１）がサンプルブロック形成およびフーリエ変換を施されて、前記第１のマイク信号（１００）および前記第２のマイク信号（１０１）のそれぞれのスペクトル値（３００、３０１）が生成され、
第１の合算レベル（３１０）において、前記第１のマイク信号（１００）の前記スペクトル値（３００）が前記第２のマイク信号（１０１）の前記スペクトル値（３０１）上に分配され、それにより第１の合算信号のスペクトル値（３１１）が形成され、前記第１のマイク信号（１００）および前記第２のマイク信号（１０１）のうち一方の前記スペクトル値（３００、３０１）の動的補正が生じ、
前記第１の合算信号の前記スペクトル値（３１１）は、結果値のスペクトル値（３９９）を形成し、
前記結果値の前記スペクトル値（３９９）が逆フーリエ変換およびサンプルブロック接合を施されて、結果信号（１９９）が生成される方法において、
前記第１の合算信号の前記スペクトル値（３１１）を生成するべく、前記第１のマイク信号（１００）の前記スペクトル値（３００）および前記第２のマイク信号（１０１）の前記スペクトル値（３０１）のうち、これら２つの信号の一方の前記スペクトル値（３００、３０１）を選択することができ、選択された方は他方の信号より優先され、
優先される信号のスペクトル値（Ａ（ｋ））のそれぞれが、対応する補正係数ｍ（ｋ）によって乗算され、優先されない信号のスペクトル値（Ｂ（ｋ））および前記優先される信号の補正されたスペクトル値ｍ（ｋ）・Ａ（ｋ）が加算されて、結果信号のスペクトル値（３９９）が形成されることを特徴とする方法。
【請求項２】
前記補正係数ｍ（ｋ）は、
ｅＡ（ｋ）＝Ｒｅａｌ（Ａ（ｋ））・Ｒｅａｌ（Ａ（ｋ））＋Ｉｍａｇ（Ａ（ｋ））・Ｉｍａｇ（Ａ（ｋ））
ｘ（ｋ）＝Ｒｅａｌ（Ａ（ｋ））・Ｒｅａｌ（Ｂ（ｋ））＋Ｉｍａｇ（Ａ（ｋ））・Ｉｍａｇ（Ｂ（ｋ））
ｗ（ｋ）＝Ｄ・ｘ（ｋ）／ｅＡ（ｋ）
ｍ（ｋ）＝（ｗ（ｋ）２＋１）（１／２）−ｗ（ｋ）
のように算出されるか、または
ｅＡ（ｋ）＝Ｒｅａｌ（Ａ（ｋ））・Ｒｅａｌ（Ａ（ｋ））＋Ｉｍａｇ（Ａ（ｋ））・Ｉｍａｇ（Ａ（ｋ））
ｅＢ（ｋ）＝Ｒｅａｌ（Ｂ（ｋ））・Ｒｅａｌ（Ｂ（ｋ））＋Ｉｍａｇ（Ｂ（ｋ））・Ｉｍａｇ（Ｂ（ｋ））
ｘ（ｋ）＝Ｒｅａｌ（Ａ（ｋ））・Ｒｅａｌ（Ｂ（ｋ））＋Ｉｍａｇ（Ａ（ｋ））・Ｉｍａｇ（Ｂ（ｋ））
ｗ（ｋ）＝Ｄ・ｘ（ｋ）／（ｅＡ（ｋ）＋Ｌ・ｅＢ（ｋ））
ｍ（ｋ）＝（ｗ（ｋ）２＋１）（１／２）−ｗ（ｋ）
のように算出され、
ｍ（ｋ）は第ｋの補正係数であり、
Ａ（ｋ）は前記優先される信号の第ｋのスペクトル値であり、
Ｂ（ｋ）は前記優先されない信号の第ｋのスペクトル値であり、
Ｄは補償の程度（ｇｒａｄｅ  ｏｆ  ｃｏｍｐｅｎｓａｔｉｏｎ）であり、
Ｌは補償の制限の程度（ｇｒａｄｅ  ｏｆ  ｔｈｅ  ｌｉｍｉｔａｔｉｏｎ  ｏｆ  ｔｈｅ  ｃｏｍｐｅｎｓａｔｉｏｎ）であることを特徴とする請求項１に記載の方法。
【請求項３】
前記第１の合算レベル（３１０）は、Ｎ個の追加的な合算レベル（４１０）により拡張され、
第ｎ＋１の合算レベル（４１０）のそれぞれにおいて、第ｎ＋２のマイク信号（２０１）がサンプルブロック形成およびフーリエ変換を施され、その結果、前記第ｎ＋２のマイク信号（２０１）のスペクトル値（４０１）が生成され、前記第ｎ＋１の合算レベル（４１０）において、第ｎの合算信号のスペクトル値（４００）が前記第ｎ＋２のマイク信号（２０１）の前記スペクトル値（４０１）に分配されて第ｎ＋１の合算信号のスペクトル値（４１１）が生成され、前記第ｎの合算信号の前記スペクトル値（４００）または前記第ｎ＋２のマイク信号（２０１）の前記スペクトル値（４０１）の動的補正が生じ、前記第ｎ＋１の合算レベル（４１０）のそれぞれにおいて、前記第ｎの合算信号の前記スペクトル値（４００）および前記第ｎ＋２のマイク信号（２０１）の前記スペクトル値（４０１）のうち、これら２つの信号の一方の前記スペクトル値（４００、４０１）が選択されて他方の信号より優先され、
ｎ＝[１...Ｎ]は合算レベルの通し番号であり、
Ｎは拡張された合算レベルの数であることを特徴とする請求項１または２に記載の方法。
【請求項４】
補償の程度Ｄは、くし型フィルター効果による音変化をどの程度バランスさせるかを決定する数値であり、値Ｄは創作性の要請および目標とする音色効果にしたがって選択されることを特徴とする請求項２または３に記載の方法。
【請求項５】
程度Ｄの値は０から１の範囲にあり、Ｄ＝０である場合、音は従来のミキシングにより得られる音と全く同じであり、Ｄ＝１である場合、くし型フィルター効果は完全に除去されることを特徴とする請求項４に記載の方法。
【請求項６】
補償の制限の程度Ｌは、不調和な周辺雑音の発生の可能性をどの程度削減するかを決定する数値であり、前記可能性は、優先されるマイク信号の振幅が優先されないマイク信号に比べて低い場合に発生する請求項２または３に記載の方法。
【請求項７】
補償の制限の程度Ｌは０以上であり、Ｌ＝０の場合、不調和な周辺雑音の可能性は全く削減されず、程度Ｌは、経験にしたがって、周辺雑音が聞き取れなくなるように選択されることを特徴とする請求項２または３に記載の方法。
【請求項８】
補償の制限の程度Ｌの値は、約０．５であることを特徴とする請求項２、６、または７に記載の方法。
【請求項９】
第１の音調信号および第２の音調信号をミキシングして結果信号を生成するミキシング回路であって、
前記第１の音調信号を受け取る第１の入力（１００）と、
前記第２の音調信号を受け取る第２の入力（１０１）と、
前記結果信号を出す出力（１９９）と、
前記ミキシング回路の前記第１の入力（１００）および前記第２の入力（１０１）にそれぞれ結合された第１の入力（３００）および第２の入力（３０１）並びに前記ミキシング回路の前記出力（１９９）に結合された出力（３１１）を有する組み合わせ回路（３１０、図５）と
を備えるミキシング回路において、
前記組み合わせ回路は、
算出ユニット（５１０）と、
乗算回路（５２０）と、
信号組み合わせユニット（５３０）と
を有し、
前記組み合わせ回路（３１０）の前記第１の入力（３００）および前記第２の入力（３０１）は、前記算出ユニット（５１０）の第１の入力および第２の入力に結合され、
前記算出ユニットの出力は、前記乗算回路（５２０）の第１の入力に結合され、
前記ミキシング回路の第１の入力（３０１）は前記乗算回路（５２０）の第２の入力に結合され、
前記乗算回路（５２０）の出力は前記信号組み合わせユニット（５３０）の第１の入力に結合され、
前記ミキシング回路の前記第１の入力（３００）および前記第２の入力（３０１）のうち一方は、前記信号組み合わせユニットの第２の入力に結合され、
前記信号組み合わせユニットの出力は、前記組み合わせ回路（３１０）の前記出力（３１１）に結合され、
前記算出ユニット（５１０）は、前記算出ユニット（図１および図５）の前記第１の入力および前記第２の入力における信号に基づいて増倍率ｍ（ｋ）を導出するために設けられている
ことを特徴とするミキシング回路。
【請求項１０】
第１の音調信号および第２の音調信号並びに前記結果信号は、周波数領域で変換された信号であり、
前記ミキシング回路は、前記ミキシング回路の前記第１の入力（１００）および前記第２の入力（１０１）と前記組み合わせ回路（３１０）の前記第１の入力（３００）および前記第２の入力（３０１）との間に時間−周波数変換器（３２０）を、前記組み合わせ回路の前記出力（３１１）と前記ミキシング回路の前記出力（１９９）との間に周波数−時間変換器をさらに備え、
前記増倍率は、周波数に依存する増倍率（ｍ（ｋ））であり、ｋは周波数パラメーターであることを特徴とする請求項９に記載のミキシング回路。
【請求項１１】
前記組み合わせ回路（３１０）は、前記組み合わせ回路（３１０）の前記第１の入力における信号を、前記乗算回路（５２０）の前記第２の入力または前記信号組み合わせユニット（５３０）の前記第２の入力に割り当て、前記組み合わせ回路（３１０）の前記第２の入力における信号を、前記信号組み合わせユニット（５３０）の前記第２の入力または前記乗算回路（５２０）の前記第２の入力に割り当てる割り当てユニット（５００）をさらに有することを特徴とする請求項９または１０に記載のミキシング回路。
【請求項１２】
請求項１０に従属する限りにおいて、
前記算出ユニット（５１０）は、ｍ（ｋ）を、
ｍ（ｋ）＝[ｗ（ｋ）２＋１]（１／２）−ｗ（ｋ）のように算出し、
ｗ（ｋ）＝Ｄ＊ｘ（ｋ）／ｅＡ（ｋ）であり、
ｘ（ｋ）＝Ｒｅａｌ[Ａ（ｋ）]＊Ｒｅａｌ[Ｂ（ｋ）]＋Ｉｍａｇ[Ａ（ｋ）]＊Ｉｍａｇ[Ｂ（ｋ）]であり、かつ
ｅＡ（ｋ）＝Ｒｅａｌ[Ａ（ｋ）]＊Ｒｅａｌ[Ａ（ｋ）]＋Ｉｍａｇ[Ａ（ｋ）]＊Ｉｍａｇ[Ａ（ｋ）]であり、
Ａ（ｋ）は、前記乗算回路（５２０）の前記第２の入力に供給される信号の第ｋのスペクトル値であり、
Ｂ（ｋ）は、前記信号組み合わせユニット（５３０）の前記第２の入力に供給される信号の第ｋのスペクトル値であり、
Ｄは、値を調整可能な定数である
ことを特徴とする請求項１０または１１に記載のミキシング回路。
【請求項１３】
請求項１０に従属する限りにおいて、
前記算出ユニット（５１０）は、ｍ（ｋ）を、
ｍ（ｋ）＝[ｗ（ｋ）２＋１]（１／２）−ｗ（ｋ）のように算出し、
ｗ（ｋ）＝Ｄ＊ｘ（ｋ）／[ｅＡ（ｋ）＋Ｌ＊ｅＢ（ｋ）]であり、
ｘ（ｋ）＝Ｒｅａｌ[Ａ（ｋ）]＊Ｒｅａｌ[Ｂ（ｋ）]＋Ｉｍａｇ[Ａ（ｋ）]＊Ｉｍａｇ[Ｂ（ｋ）]であり、
ｅＡ（ｋ）＝Ｒｅａｌ[Ａ（ｋ）]＊Ｒｅａｌ[Ａ（ｋ）]＋Ｉｍａｇ[Ａ（ｋ）]＊Ｉｍａｇ[Ａ（ｋ）]であり、かつ
ｅＢ（ｋ）＝Ｒｅａｌ[Ｂ（ｋ）]＊Ｒｅａｌ[Ｂ（ｋ）]＋Ｉｍａｇ[Ｂ（ｋ）]＊Ｉｍａｇ[Ｂ（ｋ）]であり、
Ａ（ｋ）は、前記乗算回路（５２０）の前記第２の入力に供給される信号の第ｋのスペクトル値であり、
Ｂ（ｋ）は、前記信号組み合わせユニット（５３０）の前記第２の入力に供給される信号の第ｋのスペクトル値であり、
Ｌは、値を調整可能な定数であり、
Ｄは、値を調整可能な定数である
ことを特徴とする請求項１０または１１に記載のミキシング回路。
【請求項１４】
Ｄは、０≦Ｄ≦１である場合に有効であることを特徴とする請求項１２または１３に記載のミキシング回路。
【請求項１５】
Ｌは、Ｌ≧０である場合に有効であることを特徴とする請求項１３に記載のミキシング回路。
【請求項１６】
Ｌは、０．５に略等しいことを特徴とする請求項１５に記載のミキシング回路。
【発明の詳細な説明】
【技術分野】
【０００１】
本発明は、請求項１の前文に係る方法に関する。この方法は、従来から国際公開２００４／０８４１８５号により知られている。
【背景技術】
【０００２】
音楽、映画、放送、サウンドアーカイブ、コンピューターゲーム、マルチメディア表現、もしくはウェブサイト用の録音の制作時において、広大な音楽的空間を捕らえるべく、単一のマイクでなく複数のマイクを使用することが知られている（Ｍｉｃｈａｅｌ  Ｄｉｃｋｒｅｉｔｅｒ他による「Ｈａｎｄｂｕｃｈ  ｄｅｒ  Ｔｏｎｓｔｕｄｉｏｔｅｃｈｎｉｋ」、ＩＳＢＮ９７８−３５９８１１７６５７、２１１−２１２頁、２３０−２３５頁、２６５−２６６頁、４３９頁、４７９頁）。したがって、「マルチマイク録音」という言葉が一般的に用いられている。広大な音楽的空間は、たとえば、数種類の楽器によるオーケストラのコンサートホールである。音調の詳細を捕らえるべく、各楽器は近くに設置された個別のマイクにより録音され、コンサートホールのエコーおよび聴衆の雑音（特に、拍手）を含む全体的な音響特性を録音するべく、さらなるマイクが遠い距離に設置されている。
【０００３】
広大な音楽的空間の別の例としては、いくつかの打楽器から構成され、録音スタジオで録音されるドラムセットが挙げられる。「マルチマイク録音」を行うべく、マイクは各打楽器の近くにそれぞれ配置され、もう一つのマイクがドラム奏者の上方に設置される。
【０００４】
このようなマルチマイク録音によって、最大数の音響的かつ音調的な詳細を空間全体の音響特性とともに高音質で捕らえて、審美的に満足できるように整えることができるようになる。複数のマイクのそれぞれからのマイク信号は、通常、マルチトレース録音（ｍｕｌｔｉ−ｔｒａｃｅ  ｒｅｃｏｒｄｉｎｇ）として録音される。その後に行われるマイク信号のミキシングの際に、さらにクリエイティブな仕事が施される。特別な場合には、直に「ライブ」をミックスして、ミキシングの成果物だけを録音することが可能である。
【０００５】
ミキシング処理の創造性の目標は、一般的に、全ての音源の音量のバランス、自然音、および、ほぼ実際通りに全体的音響特性の空間的印象を持たせることである。オーディオミキシングコンソールまたはデジタル編集システムのミキサー機能での共通ミキシング技術では、一般的な数学的加算を技術として実現化したものであるサミングユニット（「バス」）によってマイク信号を加算して合算値を生成し、伝達する。図１では、一般的なミキシングコンソールまたはデジタル編集システムの信号経路での１回の合算を例示している。図２では、一般的なミキシングコンソールまたはデジタル編集システムの信号経路のサミングユニット（「バス」）における直列に接続された複数の合算を例示している。図１および図２の参照番号は以下の通りである。
１００  第１のマイク信号
１０１  第２のマイク信号
１１０  加算に基づく合算レベル
１１１  合算信号
１９９  結果信号
２００  第ｎの合算信号
２０１  第ｎ＋２のマイク信号
２１０  加算に基づく第ｎ＋１の合算レベル
２１１  第ｎ＋１の合算信号
【０００６】
音は必然的に複数経路を通って伝播するので、マルチマイク録音では、少なくとも２つのマイク信号が、同一音源から発生した音の部分を含む。これらの音の部分は、異なる音の経路を通るために異なる遅延量でマイクに到達するので、サミングユニットの共通ミキシング技術では、くし型フィルター効果が発生して音の変化として聞こえ、自然音を意図していたのには反する結果となる。共通ミキシング技術では、録音したマイク信号の振幅を調整したり、遅延量が調整可能であることにより、くし型フィルター効果に基づくこれらの音の変化を削減することができる。しかし、このような削減は、複数の音源から音が複数経路を通って伝播する場合は、限定的にしか可能でない。いずれにせよ、最良の妥協点を見つけ出すにはミキシングコンソールまたはデジタル編集システムによる大幅な調整が必要である。
【０００７】
先の独国特許出願公開第１０２００８０５６７０４号明細書では、複数チャネル（たとえば、５チャネル）のオーディオ形式から２チャネルのオーディオ形式を生成するための下方ミキシング（いわゆる「ダウンミキシング」）によって、実体のない音源が投射されることが記載されている。ここで、２つの入力信号を合算するのであるが、合算すべき２つの入力信号の一方のスペクトル係数を補正係数でロード補正し、補正係数でロード補正された入力信号を、他方の入力信号より優先する。しかし、独国特許出願公開第１０２００８０５６７０４号明細書に記載される補正係数の決定では、優先された信号の振幅が優先されない信号より低い場合には、不調和な周辺雑音が聞き取り可能になってしまうかもしれない。このようなかく乱は、発生する可能性は低いが、上手く処理することはできない。
【０００８】
複数のマイクを用いた録音におけるマイク信号のミキシング方法が国際公開２００４／０８４１８５号により知られており、第１のマイク信号および第２のマイク信号のそれぞれからのサンプルの重なり合う時間ウィンドウのスペクトル値をそれぞれ生成する。第１のマイク信号のスペクトル値を、第１の合算レベルにおいて、第２のマイク信号のスペクトル値上に分配し、マイク信号のうち一方のスペクトル値の動的補正を行う。結果として得られる信号のスペクトル値は、第１の合算信号のスペクトル値から構成され、これらには逆フーリエ変換およびブロック接合が施される。したがって、サンプルの各ブロックに対して、個別の補正係数を決定することができる。共通加算のかわりに、信号を選んでスペクトル係数を重畳することによる動的補正によって、ミキシングコンソールもしくは編集システムのサミング要素においてマルチマイクミキシングの際に共通加算により発生する望ましくないくし型フィルター効果が減少する。しかし、この方法では、優先された信号の振幅が優先されない信号よりも低い場合には、不調和な周辺雑音が聞こえるようになる。
【発明の概要】
【発明が解決しようとする課題】
【０００９】
本発明の目的は、マルチマイク録音のミキシングの際に、音の部分が複数経路を通って伝播することにより生じる音調の変化を可能な限り補償することである。
【課題を解決するための手段】
【００１０】
この目的の解決は、請求項１の特徴から得られる。
本発明に係る方法の有利な実施形態および発展例が、従属項に提示される。
本発明は、図３から図６に提示される実施形態により記載される。
【図面の簡単な説明】
【００１１】
【図１】一般的なミキシングコンソールまたはデジタル編集システムの信号経路での１回の合算を例示している。
【図２】一般的なミキシングコンソールまたはデジタル編集システムの信号経路のサミングユニット（「バス」）における直列に接続された複数の合算を例示している。
【図３】本発明に係る方法を実施するための構成の全体的なブロック図である。
【図４】図３と類似しているが、第１の合算レベルが複数の追加的な合算レベルにより強化される点で相違するブロック図を示す。
【図５】図３および図４で意図された第１の合算レベルのブロック図を示す。
【図６】図４で意図された追加的な合算レベルのブロック図を示す。
【発明を実施するための形態】
【００１２】
図１および図２の参照番号は、以下の通りである。
１００  第１のマイク信号
１０１  第２のマイク信号
１９９  結果信号
２０１  第ｎ＋２のマイク信号
３００  第１のマイク信号のスペクトル値
３０１  第２のマイク信号のスペクトル値
３１０  第１の合算レベル
３１１  第１の合算信号のスペクトル値
３２０  ブロック形成／スペクトル変換ユニット
３３０  逆スペクトル変換／ブロック接合ユニット
３９９  結果信号のスペクトル値
４００  第ｎの合算信号のスペクトル値
４０１  第ｎ＋２のマイク信号のスペクトル値
４１０  第ｎ＋１の合算レベル
４１１  第ｎ＋１の合算信号のスペクトル値
５００  割り当てユニット
５０１  優先信号のスペクトル値Ａ（ｋ）
５０２  非優先信号のスペクトル値Ｂ（ｋ）
５１０  補正係数値の算出ユニット
５１１  補正係数値ｍ（ｋ）
５２０  乗算−加算ユニット
７００  ユニット３２０および第ｎ＋１の合算レベル４１０から構成される第ｎの形成グループ
【００１３】
図３は、本発明に係る方法を実施するための構成の全体的なブロック図を示す。第１のマイク信号１００および第２のマイク信号１０１は、専用のブロック形成／スペクトル変換ユニット３２０にそれぞれ送達される。ユニット３２０では、マイク信号１００および１０１は、まず、時間的に重なり合う信号セグメントに分割され、その後、形成されたブロックはフーリエ変換される。これにより、ブロック３２０に出力において、第１のマイク信号１００のスペクトル値３００および第２のマイク信号１０１のスペクトル値３０１がそれぞれ得られる。次に、スペクトル値３００および３０１は、第１の合算レベル３１０にフィードされ、スペクトル値３００および３０１から、第１の合算信号のスペクトル値３１１が生成される。スペクトル値３１１は、同時に、結果信号のスペクトル値３９９でもあり、これは、ユニット３３０においてまず逆フーリエ変換される。次に、このようにして形成されたスペクトル値は、ブロックにマージされる。このようにして得られた時間的に重なり合う信号セグメントのブロックは累積され結果信号１９９になる。
【００１４】
図４に示すブロック図は、図３のブロック図と類似の構成をしているが、スペクトル値３９９が同時にスペクトル値３１１ではないことが主要な違いである。実際、図４では、それぞれ、ブロック形成／スペクトル変換ユニット３２０および第ｎ＋１の合算レベル４１０がスペクトル値３１１とスペクトル値３９９との間に挿入された１つ以上の同一の形成グループ７００が接続されて連なっている。簡易化する目的で、図４ではブロック図中に形成グループ７００のうち１つの形成グループ７００だけを示しており、以下の記載では数字のインデックスｎは、通し番号である。接続されて連なった上記の形成グループ７００は、スペクトル値４００は同時に、接続された連なりの先頭における第１の合算信号３１１のスペクトル値を形成し、スペクトル値４１１は同時に、接続された連なりの末尾の結果信号３９９のスペクトル値を形成する、というように理解されるべきである。接続された連なりのその他全ての段（ｓｅｃｔｉｏｎ）において、合算レベル４１０のスペクトル値４１１は同時に、後段の合算レベル４１０のスペクトル値４００となる。第ｎ＋２のマイク信号２０１は、接続された連なりの形成部ループ７００のブロック形成／スペクトル変換ユニット３２０にフィードされ、そこで時間的に重なり合った信号セグメントに分割される。得られた時間的に重なり合う信号セグメントのブロックはフーリエ変換され、第ｎ＋２のマイク信号のスペクトル値４０１となる。第ｎの合算信号のスペクトル値４００および第ｎ＋２のマイク信号のスペクトル値４０１は、次にｎ＋１の合算レベル４１０にフィードされ、これらから、第ｎ＋１の合算信号のスペクトル値４１１が生成される。
【００１５】
図５は、第１の合算レベル３１０の詳細を示す。合算レベル３１０では、第１のマイク信号１００のスペクトル値３００および第２のマイク信号１０１のスペクトル値３０１が割り当てユニット５００にフィードされ、ユニット５００の出力信号５０１または５０２の優先が、プロデューサーまたはユーザーの選択により発生する。２つの割り当て選択肢が可能であり、出力信号５０１を優先する場合、優先される信号５０１のスペクトル値Ａ（ｋ）はスペクトル値３０１に割り当てられ、優先されない信号５０２のスペクトル値Ｂ（ｋ）はスペクトル値３００に割り当てられる。あるいは、優先される信号５０１のスペクトル値Ａ（ｋ）はスペクトル値３００に割り当てられ、優先されない信号５０２のスペクトル値Ｂ（ｋ）。優先の割り当ての選択は、全体的な音響特性の空間的印象を決定し、創作性の要請により選択される。典型的な可能性は、全体的な音響特性を集音するためのマイク（主マイク）の信号もしくは本発明に従って形成された合算信号を優先される信号経路に割り当て、音源の近くに設置されるマイク（補助マイク）の信号を優先されない信号経路に割り当てることである。割り当てられた優先される信号５０１のスペクトル値Ａ（ｋ）および優先されない信号５０２のスペクトル値Ｂ（ｋ）は、次に補正係数値ｍ（ｋ）の算出ユニット５１０にフィードされ、以下のようにスペクトル値Ａ（ｋ）およびＢ（ｋ）から補正係数値ｍ（ｋ）が出力信号５１１として算出される。補正係数（ｍ（ｋ）は以下のように算出される。
ｅＡ（ｋ）＝Ｒｅａｌ（Ａ（ｋ））・Ｒｅａｌ（Ａ（ｋ））＋Ｉｍａｇ（Ａ（ｋ））・Ｉｍａｇ（Ａ（ｋ））
ｘ（ｋ）＝Ｒｅａｌ（Ａ（ｋ））・Ｒｅａｌ（Ｂ（ｋ））＋Ｉｍａｇ（Ａ（ｋ））・Ｉｍａｇ（Ｂ（ｋ））
ｗ（ｋ）＝Ｄ・ｘ（ｋ）／ｅＡ（ｋ）
ｍ（ｋ）＝（ｗ（ｋ）２＋１）（１／２）−ｗ（ｋ）
または、補正係数ｍ（ｋ）は以下のように算出される。
ｅＡ（ｋ）＝Ｒｅａｌ（Ａ（ｋ））・Ｒｅａｌ（Ａ（ｋ））＋Ｉｍａｇ（Ａ（ｋ））・Ｉｍａｇ（Ａ（ｋ））
ｅＢ（ｋ）＝Ｒｅａｌ（Ｂ（ｋ））・Ｒｅａｌ（Ｂ（ｋ））＋Ｉｍａｇ（Ｂ（ｋ））・Ｉｍａｇ（Ｂ（ｋ））
ｘ（ｋ）＝Ｒｅａｌ（Ａ（ｋ））・Ｒｅａｌ（Ｂ（ｋ））＋Ｉｍａｇ（Ａ（ｋ））・Ｉｍａｇ（Ｂ（ｋ））
ｗ（ｋ）＝Ｄ・ｘ（ｋ）／（ｅＡ（ｋ）＋Ｌ・ｅＢ（ｋ））
ｍ（ｋ）＝（ｗ（ｋ）２＋１）（１／２）−ｗ（ｋ）
ここで、ｍ（ｋ）は第ｋの補正係数であり、Ａ（ｋ）は優先される信号の第ｋのスペクトル値であり、Ｂ（ｋ）は優先されない信号の第ｋのスペクトル値であり、Ｄは補償の程度（ｇｒａｄｅ  ｏｆ  ｃｏｍｐｅｎｓａｔｉｏｎ）であり、Ｌは補償の制限の程度（ｇｒａｄｅ  ｏｆ  ｔｈｅ  ｌｉｍｉｔａｔｉｏｎ  ｏｆ  ｔｈｅ  ｃｏｍｐｅｎｓａｔｉｏｎ）である。
【００１６】
補償の程度Ｄは、くし型フィルター効果による音の変化をどの程度までバランスさせるかを決定する数値である。この数値は、創作性の要請および目標とする音色効果にしたがって選択され、有利に０から１の範囲の値である。Ｄ＝０の場合、音は従来のミキシングにより得られる音と全く同じである。Ｄ＝１の場合、くし型フィルター効果は完全に除去される。Ｄが０と１との間の値である場合、結果の音調は、Ｄ＝０の場合とＤ＝１の場合との間となる。
【００１７】
補償の制限の程度Ｌは、不調和な周辺雑音の発生可能性をどの程度削減するかを決定する数値である。優先されるマイク信号の振幅が優先されないマイク信号より低い場合に、この可能性は生じる。Ｌ≧０である場合が有効である。Ｌ＝０の場合、不調和な周辺雑音の可能性は全く削減されない。程度Ｌは、経験にしたがって周辺雑音が聞き取れなくなるように選択される。通常、程度Ｌは、約０．５である。程度Ｌが大きいほど、周辺雑音の可能性は小さくなるが、Ｄによって調整される音調変化のバランスも一緒に小さくなる。
【００１８】
優先される信号５０１のスペクトル値Ａ（ｋ）は乗算器５２０に送られ、優先されない信号５０２のスペクトル値Ｂ（ｋ）は合算器５３０に送られる。さらに、出力信号５１１の補正係数値ｍ（ｋ）は、算出ユニット５１０にフィードされ、そこでスペクトル値Ａ（ｋ）５０１により複素的に（実数部と虚数部にしたがって）乗算される。乗算器５２０により得られた値は合算器５３０にフィードされ、優先されない信号５０２のスペクトル値Ｂ（ｋ）に複素的に（実数部と虚数部にしたがって）加算される。これにより、第１の合算レベル３１０の第１の合算信号のスペクトル値３１１が得られる。
【００１９】
優先するにあたって重要であるのは、合算器５３０で加算される２つの加数のうちの一方によって補正係数ｍ（ｋ）が乗算されることである。したがって、この加数の全信号経路は、合算器５３０に入力されるマイク信号より「優先」される。
【００２０】
図６は、第ｎ＋１の合算レベル４１０の詳細を示す。第ｎ＋１の合算レベル４１０は、第１の合算レベル３１０と構成が類似しているが、第ｎの合算信号のスペクトル値４００と第ｎ＋２のマイク信号のスペクトル値４０１とが割り当てユニット５００にフィードされ、合算器５３０により得られる値が第ｎ＋１の合算信号のスペクトル値であることが異なる。
【００２１】
本発明は、マイク信号だけでなく、上記の問題を有するあらゆる音声信号についても記載されていることは明らかである。したがって、入力信号は、録音された音から発生され、さらに編集されるべく記憶媒体に保存された音声ファイルもしくはサウンドトラックの形態で存在する一般的な音声信号であってよい。
【００２２】
さらに、本発明は、コンピューター上で実行されるソフトウェア、ハードウェア、これらの組み合わせ、および／または専用の回路等の多様な方法で実施することができる。
【図１】
2013511178.tif 000003
【図２】
2013511178.tif 000004
【図３】
2013511178.tif 000005
【図４】
2013511178.tif 000006
【図５】
2013511178.tif 000007
【図６】
2013511178.tif 000008
【国際調査報告】
2013511178.tif 000009
2013511178.tif 000010
2013511178.tif 000011
2013511178.tif 000012
2013511178.tif 000013
2013511178.tif 000014